(57)【要約】      （修正有）【課題】タペットに回り止め機構を必要としない燃料供給ポンプを提供する。【解決手段】シリンダ１０内にプランジャ１２を軸方向に摺動自在に支持して収容することにより形成された加圧室１４と、プランジャに連設されたタペット２０と、タペットに保持されたタペットローラー２２と、タペットローラーの外周に当接するカム３０と、カムの回転に応じてプランジャが往復動する燃料供給ポンプにおいて、プランジャの軸心線１２６が、タペットローラーとカムの接触接線３０４と垂直以外の角度で常に交わるように構成する。【選択図】図１
2015017503.tif 000002
【特許請求の範囲】
【請求項１】
シリンダ内にプランジャを軸方向に摺動自在に支持して収容することにより形成された加圧室と、
前記プランジャに連設されたタペットと、
前記タペットに保持されたタペットローラーと、
前記タペットローラーの外周に当接するカムと、を備え、
前記カムの回転に応じて前記プランジャが往復動する燃料供給ポンプにおいて、
前記プランジャの軸心線が、前記タペットローラーと前記カムの接触接線と垂直以外の角度で常に交わることを特徴とする燃料供給ポンプ。
【請求項２】
前記プランジャの軸心線が、前記カムの回転軸心に対して偏心した位置にあることを特徴とする請求項１に記載の燃料供給ポンプ。
【発明の詳細な説明】
【技術分野】
【０００１】
本発明は、内燃機関に高圧の燃料を供給するコモンレールシステムの構成部品である燃料供給ポンプに関する。
【背景技術】
【０００２】
従来から、特許文献１に開示されているように、シリンダ内にプランジャを軸方向に摺動自在に支持して収容することにより燃料の加圧室を形成するとともに、プランジャに連設されたタペットと、タペットに保持されたタペットローラーと、タペットローラーと当接するカムとを有し、カムの回転に応じてプランジャが直線的に往復動する燃料供給ポンプが公知となっている。  
【０００３】
ところで、従来品の燃料供給ポンプにおいては、円筒状の支持孔の中を摺動するタペットにタペット自身が周方向に回転するのを抑制する回り止めが設けられている。特許文献１におけるタペットの回り止めについて図３に示す。タペット８０は位置決め部材８２を備えており、支持孔９０の壁面にはスライド溝９２が軸方向に設けられている。位置決め部材８２がスライド溝９２に嵌まり込んで回り止めが形成されている。この回り止めにより、タペット８０は周方向に回転することなく支持孔９０の中を軸方向に往復動することができる。  
【０００４】
しかし、位置決め部材８２がスライド溝９２に嵌まり込んだ回り止めでは、タペット８０の往復動において、回り止めが形成された部分とそれ以外の部分で摺動抵抗がアンバランスになり、顕著な場合には片当たりや、それに伴う偏摩耗等を起こすおそれがある。また、位置決め部材８２や、スライド溝９２を設けることは、タペット８０や、支持孔９０を形成する部品の形状を複雑にし、これら部品の加工や組み立てのコストを高いものとしている。
【先行技術文献】
【特許文献】
【０００５】
【特許文献１】特表２００９−２３６０３３号公報
【発明の概要】
【発明が解決しようとする課題】
【０００６】
本発明は、上記の課題を解決するためになされたもので、プランジャに連設されたタペットを有する構造の燃料供給ポンプであって、タペットに回り止め機構を必要としない燃料供給ポンプを提供することを目的とする。
【課題を解決するための手段】
【０００７】
本発明によれば、シリンダ内にプランジャを軸方向に摺動自在に支持して収容することにより形成された加圧室と、プランジャに連設されたタペットと、タペットに保持されたタペットローラーと、タペットローラーの外周に当接するカムと、を備え、カムの回転に応じてプランジャが往復動する燃料供給ポンプにおいて、プランジャの軸心線が、タペットローラーとカムの接触接線と垂直以外の角度で常に交わることを特徴とする燃料供給ポンプが提供され上述した問題を解決することができる。
【０００８】
また、本発明にかかる燃料供給ポンプにおいて、プランジャの軸心線が、カムの回転軸心に対して偏心した位置にあることが好ましい。
【発明の効果】
【０００９】
本発明の燃料供給ポンプにおいては、プランジャの軸心線が、タペットローラーとカムの接触接線と垂直以外の角度で、常に交わるため、タペットローラーは、カムから常にプランジャの軸心方向以外の方向の力を受けることになるので、タペットに回り止めの機能が無くても、タペットが周方向に回転するおそれが無い燃料供給ポンプを提供することができる。  
【００１０】
本発明の燃料供給ポンプにおいて、プランジャの軸心線が、カムの回転軸心に対して適度に偏心した位置とすることにより、プランジャの軸心線が、タペットローラーとカムの接触接線と垂直以外の角度で、常に交わるような構成とすることができる。
【図面の簡単な説明】
【００１１】
【図１】本発明にかかる燃料供給ポンプの要部について模式的に表した図である。
【図２】本発明にかかる燃料供給ポンプにおいてカムの回転角度（θ）と側方力（F）の関係を表したグラフである。
【図３】従来品の燃料供給ポンプにおける、タペットに設けられた回り止めについて表した図である。
【００１２】
以下、本発明にかかる燃料供給ポンプの実施例について図面を用いて説明する。  なお、以下に説明する部材、配置等は本発明を限定するものではなく、本発明の趣旨の範囲内で種々改変することができるものである。  
【００１３】
図１は燃料供給ポンプ１の要部を示すものである。燃料供給ポンプ１は、シリンダ１０内にプランジャ１２を軸方向に摺動自在に支持して収容することにより形成された加圧室１４と、プランジャ１２に連設されたタペット２０と、タペット２０に保持されたタペットローラー２２と、タペットローラー２２の円筒外周に当接するカム３０と、を備え、カム３０の回転に応じてプランジャ１２が往復動するとともに、加圧室１４に燃料を吸入し、圧縮し、加圧室１４から燃料を吐出するものである。  
【００１４】
プランジャ１２は、その一端である加圧室形成端１２０がシリンダ１０内で往復動するように支持されており、シリンダ１０の内周面と加圧室形成端１２０とにより加圧室１４を形成する。また、プランジャ１２の他端はシリンダ１０から突出し、タペット２０またはこれと連動する部材に当接している。  
【００１５】
外周が円筒状のタペット２０は、円筒状の支持孔３２内を軸方向に往復動する。また、タペット２０内にはタペットローラー２２が収容されている。タペットローラー２２は円筒形状で、タペット２０が有する半円筒状の溝であるローラー受け部２４に収容され、カム３０と当接し、カム３０の回転にともなってローラー受け部２４内で回転摺動する。尚、タペット２０の外周には、回り止めのための位置決め部材は設けられていない。  
【００１６】
燃料供給ポンプ１内にはスプリング１６が備えられており、スプリング１６の一端は燃料供給ポンプ１内の固定部で支持され、他端がタペット２０またはこれと連動する部材に当接している。スプリング１６は圧縮スプリングであり、タペット２０をカム３０の方向に常に付勢する。このスプリング１６の付勢力により、タペットローラー２２にはカム３０から力５０が働く。
【００１７】
燃料供給ポンプ１においては、プランジャ１２の軸心線１２６が、カム３０の回転中心軸３０２から偏心した位置に配置されている。そして、プランジャ１２の軸心線１２６がカム３０とタペットローラー２２の接触接線３０４と垂直以外の角度で、常に交わるように構成されている。ここで接触接線とは、カム３０とタペットローラー２２との接点における接線である。
【００１８】
プランジャ１２の軸心線１２６がカム３０とタペットローラー２２の接触接線３０４と垂直以外の角度で常に交わるように構成されていることにより、カム３０からタペットローラー２２に働く力５０は、プランジャ１２の軸心方向と垂直の方向にも常に働くことになる。プランジャ１２の軸心方向と垂直の方向における力５０の分力を側方力５２（Ｆ）とする。  
【００１９】
例えば、タペット２０またはタペットローラー２２に何らかの外乱が働き回転方向の力が加わったとしてもこの側方力５２（Ｆ）によってその回転が抑制される。このように、本実施例の燃料供給ポンプ１によれば、タペット２０等の回転を側方力５２（Ｆ）により常に有効に抑えられるので、タペット２０に回り止めのための位置決め部材を設ける必要がない。この結果、タペット２０の回り止めによる片当たりや、偏摩耗が無く、また、部品の形状を複雑化させることなく、加工組み立てコストを安価に抑えることが可能な燃料供給ポンプを提供することができる。  
【００２０】
プランジャ１２の軸心線１２６をカム３０の回転中心軸３０２から偏心した位置に設けることにより、プランジャ１２の軸心線１２６が接触接線３０４と垂直以外の角度で常に交わるように構成し、側方力５２（Ｆ）が常に働くようにするためには、適当な偏心量を決める必要がある。図２は横軸にカム３０の回転角度（θ）、縦軸に側方力５２（Ｆ）をとり、両者の関係を表したグラフである。偏心量無しの場合を破線で、適度な偏心量を取った場合を実線でそれぞれ表している。図２によれば、偏心量無しの状態から、偏心量を大きくし、カム３０が一回転する間、常に側方力５２（Ｆ）がゼロとなることが無い適当な偏心量を決定することができることがわかる。このように適当な偏心量をとることにより、プランジャ１２の軸心線１２６が接触接線３０４と垂直以外の角度で常に交わり、側方力５２（Ｆ）が常に働くように構成することができる。このことにより、タペット２０等に周方向の外乱が加わったとしても、タペット２０の回転を抑えることが可能な燃料供給ポンプを提供することができる。尚、図２は、カム３０の回転角度（θ）と、側方力５２（Ｆ）の関係を分かりやすく説明したものであり、図１の形状に基づいて計算したものではない。
【符号の説明】
【００２１】
１…燃料供給ポンプ  １０…シリンダ  １２…プランジャ  １４…加圧室  １６…スプリング  ２０…タペット  ２２…タペットローラー  ２４…ローラー受け部  ３０…カム  ３２…支持孔  ５０…力  ５２…側方力  ８０…タペット  ８２…位置決め部材  ８４…タペットローラー  ８６…カム  ９０…支持孔  ９２…スライド溝  １２０…加圧室形成端  １２６…軸心線  ３０２…カム３０の軸心  ３０４…接触接線 
【図１】
2015017503.tif 000003
【図２】
2015017503.tif 000004
【図３】
2015017503.tif 000005